(57)【要約】      （修正有）【課題】構造が簡単で安価な収納用のコードリールを提供する。【解決手段】コードを巻きつけるための巻筒１とその両端に円盤状の側板２，３を設けてコードリールを形成し、その側板に外周から巻筒に至る切り欠き溝７を設け、コードの巻き始めの先端がこの切り欠き溝から側板の外側に導きだされるように形成することで、コードの両端がイヤホーンや本体機器に接続されたままの状態でも余分なコードを巻き込むことができるように構成することで、コードの長さを調整したり収納できるようにする。【選択図】図２
2013163564.tif 000002
【特許請求の範囲】
【請求項１】
長さの調節や収納のためにコードなどを巻きつける巻筒の両端に、巻筒の内径以下の孔を有する円盤状の側板Ａ並びに側板Ｂを設けてなるコードリールにおいて、側板Ａおよび側板Ｂの外周に一体で環状の外筒Ａ並びに外筒Ｂを形成し、さらに対向する外筒Ａと外筒Ｂの間に収納するコードなどの太さに相当する適当な隙間を設けてコード溝を形成したことを特徴とするコードリール。 
【請求項２】
側板Ａと外筒Ａ、側板Ｂと外筒Ｂ、あるいはその双方に、収納するコードなどを抜き差しできる太さの切り欠き溝を、巻筒の外周からコード溝まで連続して設けたことを特徴とする請求項１に記載のコードリール。
【請求項３】
巻筒の円周にコードなどの先端を通すことのできる貫通孔を設けたことを特徴とする請求項１に記載のコードリール。
【請求項４】
コード溝を挟んで対向する外筒Ａと外筒Ｂの端面に、収納されたコードが緩んで連鎖的に脱落しないように、巻筒の軸方向に向かって突起を設けたことを特徴とする請求項１に記載のコードリール。
【発明の詳細な説明】
【技術分野】
【０００１】
本発明は、イヤホーンなど各種電気器具の配線コードや水道ホースなど、柔軟なコード類を巻き込んで収納するコードリールに関するものである。特許文献１および特許文献２はコードやホースの余分な長さを調節したり収納する装置として実用されている方法の１例を示している。
【背景技術】
【０００２】
従来から工事用などとして使われている延長用コードでは、巻取り用のリールに設けられたコンセントと延長用コードをスリップリングなどの集電装置を介して連結し、巻取りリールにコードを巻き込んで収納したり、長さを調節するコードリールが実用されてきた。また、同様の考え方に基づいた散水用のホースなど、使用しながらでも収納したり、長さを調節できるリールが実用されているが、コードやホースの一端を固定したままで巻き取り収納しようとすると、回転させるための接続部分の構造が複雑で大型になることから、細くて短いイヤホーンコードやテーブルタップ、室内機器の相互をつなぐ配線コード、家庭用の短い給水ホースなどにおいては実用されず、束ねて紐で縛る方法が一般的であった。
【特許文献１】特開２００２−３５９０２７  コードリール装置
【特許文献２】特開２００４−３１５１０３  ホースリール
【発明の開示】
【発明が解決しようとする課題】
【０００３】
例えば、従来実用されているイヤホーンのコードは、使用している人の着衣のどのポケットに機器本体があっても長さが足りるように長めに準備されているが、そのために例えば胸ポケットに本体があると、長すぎるコードの収納に困惑したり、単に持ち運ぶ場合などでも、ハンドバックやポケットへの収まりが悪く始末に手間取る不便があった。また室内で機器間をつなぐコードや、比較的に短い距離をつなぐ水道のホースでも長さに余裕ができる場合に、長すぎる余分をコンパクトに取りまとめる適当な方法がなく、単に丸めて紐で縛るなどの方法が一般的であった。本発明はこの点に鑑み、機器具を使用中でもコンパクトに巻き込んで収納できるコード収納方法を提供するものである。
【課題を解決するための手段】
【０００４】
コードを巻きつけるための巻筒とその両端に円盤状の側板を設けてなるコードリールに、側板の外周にコード溝を有する外筒を一体に形成し、この側板と外筒に外周から巻筒に至る切り欠き溝を設け、コードの巻き始め側の先端をこの切り欠き溝から側板の外側に導き出すようにすることで、イヤホーンや本体機器を接続したままでも余分な長さのコードを巻き込んで調節したり収納できるようにし、また、収納されているコードが簡単に脱落しないように構成したものである。
【発明の効果】
【０００５】
巻筒と側板からなる従来からのコードリールに比べて、コード溝以外の外周部分が外筒によって囲まれているので、コードの脱落を阻止して確実に収納できること、
また、側板の少なくとも１箇所にコードを出し入れできる太さの切り欠き溝が設けられていたり、巻筒に設けた貫通孔からコードの巻き始め側の先端を側板の外側に取り出せるように構成されているから、集電のためのスリップリングや給水のための自在継ぎ手を要することなく、簡単な構造で小型のコードリールを実現できるものである。
【発明を実施するための最良の形態】
【０００６】
図１から図３は本発明によるイヤホーン用のコードリールを示している。１はコードを巻きつけるための巻筒、２と３は巻筒の両端に巻筒と一体で形成された円盤状の側板Ａ並びに側板Ｂで、巻筒とはその端面で接着などにより一体に形成されている。さらに側板Ａと側板Ｂの外周部分には環状の外筒Ａ４と外筒Ｂ５が一体に形成されている。また外筒Ａと外筒Ｂの間にはコードを出し入れできるだけの適当な隙間があり、コード溝６を形成している。加えて、側板Ａと外筒Ａには外周から巻筒に至る間を切り欠いて、コードなどを抜き差しできる太さの切欠き溝７が形成されている。８は収納されたコードが緩んで連鎖的に脱落しないように阻止するために、巻筒の軸方向に突出した緩み止め用の突起で、巻き込んで収納する時には抵抗が少なくなるように、巻き込む際にコードが当たる側の斜面だけが緩やかな形状になっている。また、全体はポリプロピレン樹脂のような弾力性のある素材で一体に形成されている。 
【０００７】
余分なコードを収納するには、コードの巻き始め側の先端を切り欠き溝のある側板Ａの外側に当てるように添えて、巻き終り側のコードを切り欠き溝からコード溝に押し込むようにして巻き込むことで収納することができる。コード溝６の幅はコードの太さに対して広過ぎるとリールからコードが緩んだときに脱落しやすくなり、逆に狭過ぎると巻取りにくくなるから、コードの太さよりも若干だけ広い幅が適当である。巻取りで緩み止めの突起部分をコードが通過する際には、リール全体の柔軟性でコード溝が広がるように動作する。また、コードを延長したり全体を取り出す場合は逆の要領で引き戻すことができる。図４の（ａ）は巻き込まれるコードの納まり具合を示すもので、巻き始めは切り欠き溝からリール内に巻き込まれるが、コードとコードリールが相互に絡んでいないから、全体を伸ばして使用する場合には機器の接続に関係なくコードリールを取り除くことができる。
【０００８】
図４（ａ）のようにコードの巻き始めとなる側の先端を切り欠き溝から外側に取り出す方法に対して、図４の(ｂ)は巻筒の外周に設けられた貫通孔９から巻筒の内側に巻き始めの先端を通す方法を示している。切り欠き溝７から取り出す方法（ａ）に比べてコードの両端を機器相互に接続したままリールを取り去ることができないが、収納したり長さを調節することは同様にできるものである。切り欠き溝がないのでより単純な形状にすることができる。図４(ｂ)はイヤホーンコードの巻き始め側をコード溝側から貫通孔に通した後、リールに巻き込んだ状況を示すものである。
【０００９】
本発明は以上のような構成であるため、例えば、携帯型の音響機器に着脱して使用するプラグ付きのイヤホーンにおいて、コードの長さを調整したり収納する場合には、プラグ側の巻き始め端を側板の外面に沿わせるように支えてイヤホーン側のコードを切り欠き溝７からコード溝６へと順次に嵌め込み、周回して巻き込むことで余分なコードをコードリールに収納することができる。緩み止め突起８を外筒の外周に数箇所設けることで、巻き込んで収納する長さをより微細に調整することができる。
【００１０】
切り欠き溝７や貫通孔９がない場合、図４の（ｃ）に示すように、コードの巻き始め側をコード溝６から半径方向に取り出した状態でコードを巻きつけることになるから、コードを出し入れする際にコード溝の出入口でコードが相互に擦りあうことになって円滑に出し入れができない上、交差する部分のコードが局部的に擦り合って傷つきやすい不都合を生じる。従ってコードが交差しないように、コードのプラグ側の先端を直接リール外側に取り出すためには切り欠き溝７や貫通孔９は極めて重要である。
【００１１】
なお、上述の説明ではコードリールの構成を円筒形の巻筒と円盤状の側板および円筒形の外筒に分けて示したが、実用的にはそれぞれは連続した緩やかな曲線でつながれてドーナツ状に一体で形成されるものである。また、切り込み溝７を側板Ａと外筒Ａ側のみに限らず、側板Ｂと外筒Ｂ側の両方に設けて連続させると１箇所が切られたリングのような単純な形状のコードリールになる。また、外筒Ａと外筒Ｂの軸方向の厚みを極端に違えてもコード溝の位置が片寄るだけで本質的な機能は変わらない。
【００１２】
以上のように、従来の方法では機器相互間の接続を持続しながらコードやホースの長さを調整するにはスリップリングによる集電装置や回転可能な継ぎ手が必要で、そのために全体が大型で高価になる不都合があった。しかし本発明によるコードリールでは、コードやホースなどを両端につないだまま余分な長さのコードを巻き込んだり収納することができるから、実用性が高く小型で安価に製造できる利点を有するものである。
【図面の簡単な説明】
【００１３】
【図１】コードリールの正面図である。
【図２】側面図である。
【図３】コードリールの断面図である。
【図４】コードの納まり具合を説明するための要領図である。
【符号の説明】
【００１４】
１、巻筒
２、側板Ａ
３、側板Ｂ
４、外筒Ａ
５、外筒Ｂ
６、コード溝
７、切り欠き溝
８、緩み止め突起
９、貫通孔
１０、コードリール本体
１１、巻き始め
１２、巻き終わり
【図１】
2013163564.tif 000003
【図２】
2013163564.tif 000004
【図３】
2013163564.tif 000005
【図４】
2013163564.tif 000006